(57)【要約】【課題】安全性を高めることができる工具のセーフティリギング構造を提供する。【解決手段】工具のセーフティリギング構造は、工具の落下を予防する安全作用を備えるとの条件下で、シンプルな構造の設計を提供し、セーフティリギングは、伸縮自在のリギング本体１０、リギング本体１０両端に設置する嵌合具２０の組合せを備え、リギング本体１０は中心軸線χを有し、中心軸線χを取り囲み、これによりリギング本体１０は螺旋形状を呈し、中心軸線χの軸方向上には、空間区域１２を有し、サブリギング３０は、空間区域１２を通り、リギング本体１０の両端或いは嵌合具２０にそれぞれ連接し、リギング本体１０の絡まり発生を阻止し、警告の作用を備える。【選択図】図２
0003178623.tif 000002
【実用新案登録請求の範囲】
【請求項１】
工具のセーフティリギング構造は、伸縮自在のリギング本体、前記リギング本体両端にそれぞれ設置する嵌合具を組合せて形成し、
前記リギング本体は、中心軸線を有し、かつ前記中心軸線を取り囲むような螺旋形状を呈し、前記中心軸線の軸方向上に空間区域を有し、
サブリギングは、前記空間区域を通り、前記サブリギングの両端は、前記リギング本体両端、或いは前記嵌合具の内の何れかに連接することを特徴とする工具のセーフティリギング構造。
【請求項２】
前記リギング本体は、堅固で弾力性を備えるケーブルであることを特徴とする請求項１に記載の工具のセーフティリギング構造。
【請求項３】
前記リギング本体は、外部を軟質塑性材料で覆って包むことを特徴とする請求項１に記載の工具のセーフティリギング構造。
【請求項４】
前記リギング本体の両端には、ケーシングを設置することを特徴とする請求項１に記載の工具のセーフティリギング構造。
【請求項５】
前記ケーシングは、透明の塑性材料で、管状体の形態に製造することを特徴とする請求項４に記載の工具のセーフティリギング構造。
【請求項６】
前記ケーシングは、不透明の塑性材料で、管状体の形態に製造することを特徴とする請求項４に記載の工具のセーフティリギング構造。
【請求項７】
前記リギング本体の両端には、接続部を設置し、前記サブリギングの両端に可動状に接続することを特徴とする請求項１に記載の工具のセーフティリギング構造。
【請求項８】
前記接続部は、管状体の形態であることを特徴とする請求項７に記載の工具のセーフティリギング構造。
【請求項９】
前記接続部は、前記ケーシング内部に包まれることを特徴とする請求項７に記載の工具のセーフティリギング構造。
【請求項１０】
前記接続部には、切欠き部を形成し、
前記サブリギングの両端は、前記サブリギングの直径より大きい頭部を有し、かつ前記頭部は前記切欠き部内に収容され、
前記サブリギングの両端は、前記接続部上にそれぞれ固定されることを特徴とする請求項７に記載の工具のセーフティリギング構造。
【請求項１１】
前記接続部には、切欠き部を形成し、
前記サブリギングの両端には、前記サブリギングの直径より大きい頭部を設置し、しかも、前記切欠き部内に収容され、
これにより、前記サブリギングの両端は、前記接続部上にそれぞれ固定されることを特徴とする請求項８に記載の工具のセーフティリギング構造。
【請求項１２】
前記接続部には、切欠き部を形成し、
前記サブリギングの両端には、前記サブリギングの直径より大きい頭部を設置し、しかも、前記切欠き部内に収容され、
これにより、前記サブリギングの両端は、前記接続部上にそれぞれ固定されることを特徴とする請求項９に記載の工具のセーフティリギング構造。
【請求項１３】
前記リギング本体の安全係数は、前記サブリギングの安全係数より高いことを特徴とする請求項１に記載の工具のセーフティリギング構造。
【考案の詳細な説明】
【技術分野】
【０００１】
本考案は工具を連接するセーフティリギング構造に関し、セーフティリギングにサブリギングを連結して組合せることで、その組合せ構造の安全性を高めることができる工具のセーフティリギング構造に関する。
【背景技術】
【０００２】
伸縮自在の弾性ロープを組合せる嵌合具により工具を連接することで、作業者が高所作業時に工具を操作する際に、手から落とし落下させてしまう事態の発生を回避することができる。
工具が落下すれば、人員或いは物品等に衝突する恐れもあるが、それを防止することができる従来技術として、セーフティリギングがある。
【０００３】
典型的な実施例として特許文献１「工具のセーフティスリング構造」がある。
上記した実施例は、弾力性を備えたスチールワイヤーとスチールワイヤー外部を覆う塑性材料により構成するスリングを開示する。
これにより、シンプルで、製造が容易な構造を形成し、しかも弾性と強靭性が充分でない等の従来のスリングの欠点を改善することができる。
【０００４】
特許文献２「落下を防止する工具の安全連接リギング」は、布材で製造する軟質カバーで弾性伸縮ロープを覆う構造である。
その具体的な実施例では、軟質カバーには、複数の折縁部を設置し、弾性伸縮ロープの伸長、或いは収縮程度に従い、しわが入る範囲が変化する。
しかし、当業者なら熟知するように、弾性伸縮ロープと軟質カバーの製造及び構造の組合せは比較的複雑で、製造コストを押し上げてしまう。
【０００５】
上記した特許文献１、２は、セーフティリギングの弾性ロープ、嵌合具、及びその関連結合コンポーネントの、使用と構造設計の状況を掲示している。
構造をシンプルにするとの条件下で、弾性ロープと嵌合具の構造の対応及び上記した応用状況を再設計及び再考慮するなら、従来のものから改良の余地がある。
具体的には、従来の弾性リギングは操作使用時に絡まりやすく、使用者は絡まり部位を解かなければならないという面倒と不便な状況が発生しているが、これを可能な限り減らすことができる。
しかし、こうした工夫は上記の特許文献では開示されていない。
本考案は、従来の工具のセーフティリギング構造の上記した欠点に鑑みてなされたものである。
【先行技術文献】
【特許文献】
【０００６】
【特許文献１】中華民国特許第８７２２０５８４号
【特許文献２】中華民国特許第９８２１８８２１号
【考案の概要】
【考案が解決しようとする課題】
【０００７】
本考案が解決しようとする課題は、工具の落下を予防する安全作用を備える条件の下で、シンプルな構造の設計を提供し、セーフティリギングは伸縮自在のリギング本体、及びリギング本体両端に設置する嵌合具の組合せを備え、リギング本体は中心軸線を有し、中心軸線を取り囲み、これによりリギング本体は螺旋形態を形成し、しかも中心軸線の軸方向上には、空間区域を区画し、サブリギングは空間区域を通過、或いは貫通し、リギング本体の両端或いは嵌合具にそれぞれ連接し、リギング本体の絡まり発生を阻止し、警告の作用を備える工具のセーフティリギング構造を提供することである。
【課題を解決するための手段】
【０００８】
上記課題を解決するため、本考案は下記の工具のセーフティリギング構造を提供する。
工具のセーフティリギング構造は、リギング本体の両端に、接続部を設置し、
該接続部には、切欠き部を形成し、
該切欠き部に対応し、サブリギングの両端には、頭部を設置し、切欠き部内に収容され、
これにより、該サブリギングの両端は、該接続部上にそれぞれ固定される。
【考案の効果】
【０００９】
本考案の工具のセーフティリギング構造は、リギング本体の絡まり発生を阻止し、警告の作用を備え、セーフティリギング構造の安全性を大幅に向上させることができる。
【図面の簡単な説明】
【００１０】
【図１】本考案の外観構造模式図である。
【図２】サブリギングと接続部の組合せ状況を示す本考案の局部構造模式図である。
【図３】リギング本体に嵌合具を対応させ、作業者と工具とをそれぞれ連接する状況を示す本考案の実施例模式図である。
【図４】リギング本体とサブリギングが伸展状態を呈する状況を示す本考案の操作実施例模式図である。
【図５】リギング本体がサブリギングに阻害される状況を示す本考案の操作実施例模式図である。
【考案を実施するための形態】
【００１１】
以下に図面を参照しながら本考案を実施するための最良の形態について詳細に説明する。
【実施例】
【００１２】
図１、２に示すように、本考案の工具のセーフティリギング構造は、伸縮自在のリギング本体１０と嵌合具２０を組合せ、嵌合具２０は、リギング本体１０の両端１１に設置する。
【００１３】
図３に示すように、リギング本体１０の両端１１に設置する嵌合具２０は、作業者４０と工具５０とを、それぞれ嵌めて可動状に接続する。
【００１４】
実施例中では、リギング本体１０は、堅固で弾力性を備えるケーブル、スチールワイヤー或いはその類似物から選択する。
リギング本体１０外部は、軟質塑性材料により覆う。
リギング本体１０は、中心軸線χを有し、中心軸線χを取り囲み、これによりリギング本体１０は螺旋形態を形成する。
また、中心軸線χの方向上には、空間区域１２を区画する。
実施例中では、サブリギング３０は、空間区域１２を通過、或いは貫通し、リギング本体１０の両端１１（或いは付近）或いは嵌合具２０にそれぞれ連接する。
【００１５】
実施例中では、リギング本体１０の両端１１は、ケーシング１３に包まれ、或いは設置される。
ケーシング１３は、透明或いは不透明の塑性材料を選択し、管状体形態に形成する。
【００１６】
図１、２に示すように、リギング本体１０の両端１１には、接続部１４を設置する。
接続部１４は、管状体形態で、ケーシング１３内に包まれる。
接続部１４には、切欠き部１５を形成する。
切欠き部１５に対応し、サブリギング３０の両端には、頭部３１を設置し、切欠き部１５内に収容される。
これにより、サブリギング３０の両端は、接続部１４上にそれぞれ固定される。
頭部３１は、サブリギング３０の直径より大きい。
【００１７】
図３、４に示すように、リギング本体１０両端１１の嵌合具２０は、作業者４０と工具５０に可動状にそれぞれ接続し、作業者４０が、高所で工具５０を用いて作業を行う時、リギング本体１０とサブリギング３０の設備により、操作時に工具５０を落とし、人員或いは物品に衝突する状況の発生を防止することができる。
【００１８】
図４に示すように、リギング本体１０とサブリギング３０は、作業者４０の使用の必要に応じて、伸ばして操作することができる。
しかも、使用しない時には、リギング本体１０とサブリギング３０の弾性回復作用により、セーフティリギングの長さを短くすることができる。
【００１９】
好ましくは、リギング本体１０の安全係数は、サブリギング３０の安全係数より高いため、サブリギング３０は、警告補助の作用を提供することができる。
すなわち、作業者４０が、リギング本体１０とサブリギング３０を操作し、過度な伸展が生じ、サブリギング３０に亀裂或いは断裂が生じた時にも、リギング本体１０は、工具５０が落下しないよう確保する作用を備える。
しかも、作業者４０に過度な伸展操作について警告し、リギング本体１０に損傷を起こす恐れがあることを知らせ、これにより作業者４０は、できるだけ早くセーフティリギングを交換すべきであると認識することができる。
【００２０】
図５に示すように、工具５０の操作により、リギング本体１０が相互に交わる、或いは交差する状況が生じた時にも、リギング本体１０は、サブリギング３０の阻害により、サブリギング３０を超えることはできない。
よって、サブリギング３０は、リギング本体１０が絡まらない作用を提供することができる。
【００２１】
上記したように、本考案セーフティリギング構造は、公知構造とは異なるリギング本体１０とサブリギング３０の組合せ設計を応用し、その構造設計は、従来の技術と比べると、以下の長所を有する。
１．リギング本体１０及びサブリギング３０とその関連する結合コンポーネント（切欠き部１５を備える接続部１４等）等の部分の構造対応は、新設計であり、構造がシンプルである。
２．リギング本体１０とサブリギング３０の構造が対応する形態は、従来の構造とは異なり、その使用形態も従来の技術とは異なる。
例えば、リギング本体１０の安全係数をサブリギング３０の安全係数より大きくすることで、作業者４０が工具５０を操作する過程において、過度な伸展の状況が発生しても、リギング本体３０は、工具５０が落下しない作用を保持することができ、しかも作業者４０にリギング本体１０の安全性について警告する効果をも提供することができる。
３．リギング本体１０の中心軸線χ方向上に区画する空間区域１２に、サブリギング３０を組み合わせることで、リギング本体１０は、サブリギング３０を超えることができないため、サブリギング３０は、リギング本体１０の絡まり発生を阻止する作用を備える。
従来の構造においては、作業者はセーフティリギングの絡まり部位をしばしば解かなければならず非常に不便であったが、その状況を明らかに改善することができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案工具のセーフティリギング構造は、従来の構造とは異なり、しかも従来の構造とは比較にならないほどの多くの長所を備え、非常に大きな進歩を備える。
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００２４】
１０  リギング本体
１１  端
１２  空間区域
１３  ケーシング
１４  接続部
１５  切欠き部
２０  嵌合具
３０  サブリギング
３１  頭部
４０  作業者
５０  工具
χ  中心軸線
【図１】
0003178623.tif 000003
【図２】
0003178623.tif 000004
【図３】
0003178623.tif 000005
【図４】
0003178623.tif 000006
【図５】
0003178623.tif 000007